(57)【特許請求の範囲】
【請求項１】
一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結して成る携帯端末であって、
前記一方筐体に対して開いた姿勢の前記他方筐体における、前記一方筐体と対向する隅部に光表示部を設け、且つ前記他方筐体における前記隅部に、クッション機能を備えた保護／組付け樹脂部材と、光表示機能を備えた表示窓樹脂部材とからなるカバー部材を取付け、
前記保護／組付け樹脂部材は、弾性を備え、前記一方筐体と対向する面と、前記開閉の際の側面とが交わる部分を含んで設けられ、且つ前記他方筐体に爪嵌合され、
前記表示窓樹脂部材は、透光性を備え、前記一方筐体と対向する面に前記保護／組付け樹脂部材と隣接して設けられたことを特徴とする携帯端末。
【請求項２】
前記カバー部材は、前記表示窓樹脂部材と前記保護／組付け樹脂部材とを一体形成して成ることを特徴とする請求項１記載の携帯端末。
【発明の詳細な説明】
【技術分野】
【０００１】
本発明は、一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結して成る携帯端末に関するものである。
【背景技術】
【０００２】
例えば、携帯端末の一例である携帯電話機には、使用時における使い易さと携帯時のコンパクト化とを両立させ、さらに多様な使用形態を実現することを目的として、正面に操作部を有する一方筐体と、正面に表示部を有する他方筐体とを、回転２軸ヒンジ機構を用いて互いに開閉自在、かつ旋回可能に連結して成る折畳み式の携帯電話機が提供されている(例えば、特許文献１参照)。
【０００３】
図８〜図１０に示す如く、上述した折畳み式の携帯電話機Ａは、本体を構成する下筐体(一方筐体)Ｂと、蓋体を構成する上筐体(他方筐体)Ｃとを備えており、下筐体Ｂの正面Ｂｆには、複数の操作キーを備えた操作部Ｂａと送話部Ｂｍとが設けられている。
【０００４】
一方、上筐体Ｃの正面Ｃｆには、大型のメイン液晶画面Ｃｄとともに受話部Ｃｒが設けられ、同じく上筐体Ｃの端部Ｃｅには、着信表示部Ｃａが設けられている。
【０００５】
上述した下筐体Ｂと上筐体Ｃとは、回転２軸ヒンジ機構(図示せず)を備えた連結体Ｄを介して、図９に矢印Ｆで示す如く開閉軸ｘを中心として開閉自在に連結されているとともに、上記開閉軸ｘと直交する旋回軸ｚを中心として図９に矢印Ｒで示す如く旋回自在に連結されている。
【０００６】
これにより、上記携帯電話機Ａは、下筐体Ｂの正面Ｂｆと上筐体Ｃの正面Ｃｆとを相対向させて閉じたクローズポジションと、該クローズポジションから下筐体Ｂに対して上筐体Ｃを所定の姿勢角で開いたオープンポジションとを取ることができる。
【０００７】
また、上記携帯電話機Ａは、上記オープンポジションから上筐体Ｃを１８０°旋回させたターンオープンポジションと、該ターンオープンポジションから上筐体Ｃを閉じてメイン液晶画面Ｃｄを外方に露呈させたターンクローズポジションとを取ることができる。
【特許文献１】特開２００５−３５４４５６号公報
【発明の開示】
【発明が解決しようとする課題】
【０００８】
ところで、上述した携帯電話機Ａにおいては、下筐体Ｂに対して上筐体Ｃを所定の姿勢角で開いたオープンポジション(あるいはターンオープンポジション)から、旋回軸(図
９中のｘ)を中心として上筐体Ｃを旋回させる途中、図１０に示す如く、上筐体Ｃを開閉
軸(図９中のｚ)を中心として閉じる方向へ不用意に倒した場合、上筐体Ｃの隅部Ｃｃが下筐体Ｂの正面Ｂｆと強く当接することで、下筐体Ｂおよび上筐体Ｃが相互に傷付く虞れがあり、何らかの保護対策を講じる必要があった。
【０００９】
また、上述した携帯電話機Ａでは、着信表示部Ｃａを上筐体Ｃの端部Ｃｅに設けているが、該端部Ｃｅの内部にはアンテナ等の電子部品が収容されていることが多く、光源等の内部部品の実装スペースや、表示窓等の外部部品の設置スペースを確保することが難しく、光表示部のレイアウトに関する設計自由度は大きく損なわれていた。
【００１０】
本発明は上述した実状に鑑みて、開閉／旋回動作に伴う下筐体および上筐体の損傷を未然に防止することができ、併せて光表示部の設置に関わる設計自由度を増大させることの可能な携帯端末の提供を目的とするものである。
【課題を解決するための手段】
【００１１】
上記目的を達成するべく、請求項１の発明に関わる携帯端末は、一方筐体および他方筐体と、前記一方筐体と前記他方筐体との間に介在する連結体とを備え、前記一方筐体と前記他方筐体とを、前記連結体を介し開閉軸を中心として開閉自在に連結するとともに、前記連結体に対して前記他方筐体を、前記開閉軸と直交する旋回軸を中心として旋回自在に連結して成る携帯端末であって、前記一方筐体に対して開いた姿勢の前記他方筐体における、前記一方筐体と対向する隅部に光表示部を設け、且つ前記他方筐体における前記隅部に、クッション機能を備えた保護／組付け樹脂部材と、光表示機能を備えた表示窓樹脂部材とからなるカバー部材を取付け、前記保護／組付け樹脂部材は、弾性を備え、前記一方筐体と対向する面と、前記開閉の際の側面とが交わる部分を含んで設けられ、且つ前記他方筐体に爪嵌合され、前記表示窓樹脂部材は、透光性を備え、前記一方筐体と対向する面に前記保護／組付け樹脂部材と隣接して設けられたことを特徴としている。
【００１３】
請求項２の発明に関わる携帯端末は、請求項１の発明に関わる携帯端末において、前記カバー部材は、前記表示窓樹脂部材と前記保護／組付け樹脂部材とを一体形成して成ることを特徴としている。
【発明の効果】
【００１４】
請求項１の発明に関わる携帯端末によれば、他方筐体における一方筐体と対向する隅部に光表示部を設けたことで、光表示部を筐体の端部に設けていた従来構成に比べ、光表示部の設置に関わる設計自由度を増大させることができる。
また、他方筐体における一方筐体と対向する隅部に、光表示機能を備えた表示窓樹脂部材およびクッション機能を備えた保護／組付け樹脂部材からなるカバー部材を設けたことで、上記カバー部材が光表示部における表示窓部材として機能して良好な照明が得られるとともに、上記カバー部材のクッション機能によって衝撃や圧力が吸収されることで、開閉／旋回動作に伴う一方筐体および他方筐体の損傷を未然に防止することができる。更には、保護／組付け樹脂部材は、他方筐体に爪嵌合されることで、ガタつきが防止される。
【００１６】
請求項２の発明に関わる携帯端末によれば、表示窓樹脂部材と保護／組付け樹脂部材とを一体形成してカバー部材を構成したことで、部品点数が削減されるとともに組付け作業性が向上し、もって製造コストの低減を達成することができる。
【発明を実施するための最良の形態】
【００１７】
以下、実施例を示す図面に基づいて、本発明を詳細に説明する。  
図１〜図４は、本発明を携帯端末の一態様である携帯電話機に適用した実施例を示しており、この折り畳み式の携帯電話機１は、本体を構成する下筐体(一方筐体)２と、蓋体を構成する上筐体(他方筐体)３とを備えている。
【００１８】
上記下筐体２は、扁平な長方体の如き形状を呈しており、その正面２ｆには複数の操作キーを備えた操作部２ａと送話部２ｍとが設けられ、同じく下筐体２の背面２ｂにはカメラ部２ｃが設けられている。
【００１９】
一方、下筐体２と同じく扁平な長方体の如き形状を呈する上筐体３の正面３ｆには、大型のメイン液晶画面３ｄが設けられており、さらに受話部３ｒおよび操作キー３ｋが設けられ、同じく上筐体３の背面３ｂには小形のサブ液晶画面３ｓが設けられている。
【００２０】
上述した下筐体２と上筐体３とは、両者における基端部同士の間に介在する連結体４によって互いに連結されており、図２に示す如く下筐体２の幅方向(図中の左右方向)に延びるｘ軸(開閉軸)上の開閉用ヒンジユニット(図示せず)を介して、下筐体２と連結体４とが互いに連結されているとともに、上記ｘ軸(開閉軸)と直交して延びるｚ軸(旋回軸)上の旋回用ヒンジユニット(図示せず)を介して、連結体４と上筐体３とが互いに連結されている。
【００２１】
すなわち、上述した下筐体２と上筐体３とは、連結体４を介して図２に矢印Ｆで示す如くｘ軸(開閉軸)を中心として開閉自在に連結されるとともに、ｚ軸(旋回軸)を中心として図２に矢印Ｒで示す如く旋回自在に連結されている。
【００２２】
これにより、上記携帯電話機１は、図３(ａ)に示す如く、下筐体２の正面２ｆと上筐体３の正面３ｆとを相対向させて閉じたクローズポジションと、図３(ｂ)に示す如く、上記クローズポジションから下筐体２に対して上筐体３を所定の姿勢角で開いたオープンポジションとを取ることができる。
【００２３】
また、上記携帯電話機１は、図４(ａ)に示す如く、下筐体２の正面２ｆと上筐体３の背面３ｂとを相対向させ、上筐体３の正面３ｆに設けられたメイン液晶画面３ｄを外方に露呈させて下筐体２と上筐体３とを閉じたターンクローズポジションと、図４(ｂ)に示す如く、上記ターンクローズポジションから下筐体２に対して上筐体３を所定の姿勢角で開いたターンオープンポジションとを取ることができる。
【００２４】
図１〜図５に示す如く、上記携帯電話機１における上筐体３の基端部、言い換えれば、下筐体２に対して上筐体３を開いた姿勢(オープンポジション、ターンオープンポジショ
ン)において下筐体３と対向し、上筐体３をｚ軸(図２参照)回りに旋回させた際に下筐体
２の正面２ｆに臨む基端部には、その幅方向における左右の隅部に、それぞれ光表示部５、５が設けられている。因みに、一方の光表示部５は着信ランプとして機能し、他方の光表示部５は充電ランプとして機能するものである。
【００２５】
図６に示す如く、上記光表示部５は、上筐体３の内部に設置されている回路基板３Ｂに実装された光源(ＬＥＤ)６と、該光源６を覆う態様で上筐体３の隅部に組み付けられたカバー部材１０とを具備しており、該カバー部材１０は、上筐体３における隅部の形態に倣ったパネル状の表示窓部材１１と、該表示窓部材１１の内面側に設置された保護／組付け部材１２とから成る。
【００２６】
上記保護／組付け部材１２は、上記カバー部材１０のコーナー部分、すなわち、上筐体３を開いて旋回させた際に、下筐体２の正面２ｆと当接し得る部位に、パッド部１２ｐが突出形成されており、このパッド部１２ｐは、表示窓部材１１と面一に形成されている。
【００２７】
また、上記保護／組付け部材１２には、上筐体３の内部に実装された光源６に臨む導光用の開口１２ｏが形成されているとともに、カバー部材１０を上筐体３の隅部に組み付けるための係合爪１２ｃが形成されている。
【００２８】
ここで、上記カバー部材１０における表示窓部材１１は、光源６の照明を有効に通過させる十分な透光性を備えた材料、例えばポリカーボネート樹脂を用いて形成されている。
【００２９】
また、上記カバー部材１０における保護／組付け部材１２は、後述の如く下筐体２と当接した際に、衝撃や圧力を有効に吸収することができ、併せて上筐体３の所定位置に爪嵌合するに十分な弾性を備えた材料、例えばエラストマ樹脂を用いて形成されている。
【００３０】
すなわち、上記カバー部材１０は、表示窓部材１１によって光表示機能を備えることとなり、さらに保護／組付け部材１２によってクッション機能を備えたものと成っている。
【００３１】
また、上記カバー部材１０は、別体から形成された表示窓部材１１と保護／組付け部材１２とが、いわゆる二色成形により一体に形成されることで、一個の部品として構成されている。
【００３２】
なお、上述した実施例のカバー部材１０は、別体から成る表示窓部材１１と保護／組付け部材１２とを一体に組付けて構成されているが、例えばシリコンゴム等、カバー部材に必要な「透光性」と「弾性」とを備えた材料を用いて、カバー部材を均質な材料から成る１個の部品として構成することも可能である。
【００３３】
上述した如き構成の携帯電話機１においては、上筐体３における下筐体２と対向する隅部に光表示部５を設けたことで、上記隅部の内部にはアンテナ等の電子部品が収容されることが希であるため、光表示部５を構成する光源６やカバー部材１０の実装スペースを確保することが容易となり、もって光表示部５の設置レイアウトに関わる設計自由度が増大することとなる。
【００３４】
また、上記構成の携帯電話機１においては、上筐体３における下筐体２と対向する隅部に、光表示機能およびクッション機能を備えたカバー部材１０を取付けたことで、その光表示機能(透光性)によって上記カバー部材１０が表示窓部材として有効に機能することとなる。
【００３５】
さらに、上記構成の携帯電話機１においては、図７に示す如く、下筐体２に対して上筐体３を開いたオープンポジション(あるいはターンオープンポジション)から、旋回軸(図
２中のｘ)を中心として上筐体３を旋回させる途中、上筐体３を開閉軸(図２中のｚ)を中
心として閉じる方向へ不用意に倒してしまい、上筐体３の隅部が下筐体２の正面２ｆと強く当接した場合でも、上記カバー部材１０のクッション機能(弾性)によって衝撃や圧力が吸収されることで、開閉／旋回動作に伴う下筐体２および上筐体３の損傷が未然に防止されることとなる。
【００３６】
また、上述した携帯電話機１においては、カバー部材１０の保護／組付け部材１２を、十分な弾性を備えたエラストマ樹脂から形成したことで、上記保護／組付け部材１２の係合爪１２ｃを介して、カバー部材１０を上筐体３に取付けた状態において、上筐体３に対するカバー部材１０のガタつきが防止されることとなる。
【００３７】
また、上述した携帯電話機１においては、互いに別部品から成る表示窓部材１１と保護／組付け部材１２とを組合わせてカバー部材１０を構成したことで、表示窓部材１１を保護／組付け部材１２に関わらず最適な透光性材料から形成でき、また保護／組付け部材１２を表示窓部材１１に関わらず最適な弾性材料から形成でき、もって光表示機能とクッション機能とを十分に満足したカバー部材１０を得ることが可能となる。
【００３８】
さらに、上述した携帯電話機１におけるカバー部材１０は、表示窓部材１１と保護／組付け部材１２とを二色成形により一体形成されているので、携帯電話機１を構成する部品点数が削減され、もって上筐体３に対するカバー部材１０の組付け作業性が向上し、延いては製造コストの低減を達成することができる。
【００３９】
また、実施例に示した携帯電話機１では、光表示部５におけるカバー部材１０の保護／組付け部材１２を白色のエラストマ樹脂から形成しており、このため、保護／組付け部材１２が光源６からの照明の拡散を助けるとともに、表示窓部材１１に保護／組付け部材１２の陰が生じることを抑えられる。
【００４０】
また、上述した実施例においては、カバー部材１０を構成する表示窓部材１１をポリカーボネート樹脂から形成し、保護／組付け部材１２をエラストマ樹脂から形成しているが、光源６の照明を有効に通過させる透光性を備えた材料であれば、ポリカーボネート樹脂以外の様々な材料から表示窓部材を形成することができ、また、下筐体２と当接した際の衝撃等を有効に吸収できるとともに上筐体３と有効に爪嵌合し得る弾性を備えた材料であれば、エラストマ樹脂以外の様々な材料から保護／組付け部材を形成することができる。
【００４１】
また、上述した実施例においては、上筐体に設けられた２箇所の光表示部１０、１０が、それぞれ充電ランプおよび着信ランプとして機能するものであるが、充電ランプおよび着信ランプ以外の様々な用途の光表示部においても、本発明を有効に適用し得ることは勿論である。
【００４２】
さらに、上述した実施例においては、本発明を携帯端末の一態様である携帯電話機に適用した例を示したが、回転２軸ヒンジ機構を備えた連結体を介して一方筐体と他方筐体とを開閉自在かつ旋回自在に連結した携帯端末、例えば、電子辞書やＰＤＡ(パーソナル・
データ・アシスタンス)等、様々な携帯端末においても本発明を有効に適用し得ることは
言うまでもない。
【図面の簡単な説明】
【００４３】
【図１】本発明に関わる携帯端末の一実施例である携帯電話機を示す全体斜視図。
【図２】(ａ)、(ｂ)および(ｃ)は、図１の携帯電話機を概念的に示した全体正面図、全体側面図および全体背面図。
【図３】(ａ)および(ｂ)は、図２の携帯電話機のクローズポジションおよびオープンポジションを示す外観斜視図。
【図４】(ａ)および(ｂ)は、携帯電話機のターンクローズポジションおよびターンオープンポジションを示す外観斜視図。
【図５】図１の携帯電話機のクローズポジションにおける要部平面図。
【図６】図１の携帯電話機における光表示部周辺を拡大して示す要部平面断面図。
【図７】図１の携帯電話機における
【図８】従来の携帯電話機を示す全体外観斜視図。
【図９】(ａ)、(ｂ)および(ｃ)は、従来の携帯電話機を示す全体正面図、全体側面図および全体背面図。
【図１０】従来の携帯電話機を示す全体外観斜視図。
【符号の説明】
【００４４】
１…携帯電話機(携帯端末)。
【００４５】
２…下筐体(一方筐体)、
３…上筐体(他方筐体)、
３ｏ…上外ケース、
３ｉ…上内ケース、
４…連結体、
５…光表示部、
６…光源、
１０…カバー部材、
１１…表示窓部材、
１２…保護／組付け部材、
ｘ…開閉軸、
ｚ…旋回軸。
【図１】
0004659639.tif 000002
【図２】
0004659639.tif 000003
【図３】
0004659639.tif 000004
【図４】
0004659639.tif 000005
【図５】
0004659639.tif 000006
【図６】
0004659639.tif 000007
【図７】
0004659639.tif 000008
【図８】
0004659639.tif 000009
【図９】
0004659639.tif 000010
【図１０】
0004659639.tif 000011